(57)【要約】【課題】サービス数の多い放送の番組情報の蓄積にあたって、不揮発性記憶媒体のアクセス頻度を増加させることなく、よりユーザの参照頻度が高いと思われる、近い将来の番組情報から蓄積を行うことが可能なデジタル放送受信装置及び番組情報蓄積方法に関する。【解決手段】記憶媒体の中で番組情報の蓄積に使用可能な領域のサイズと放送に含まれるサービス数より蓄積可能な番組情報の日数の見積もりを行い、当日からその日数までの番組情報のみを蓄積し、それ以外の番組情報については蓄積を行わないように蓄積範囲を制限する。【選択図】図１
2005192061.tif 000002
【特許請求の範囲】
【請求項１】
番組情報を受信する受信手段と、番組情報を蓄積する蓄積手段と、前記受信手段が受信した番組情報に含まれるサービス数及び前記蓄積手段の蓄積可能領域の大きさに基づいて蓄積可能条件を決定し、前記蓄積可能条件に合致する番組情報を前記蓄積手段に蓄積させる蓄積制御手段とを備えたことを特徴とするデジタル放送受信装置。
【請求項２】
前記蓄積制御手段で決定する蓄積可能条件は、近い将来の番組情報から順に蓄積可能日数範囲に含まれる番組情報であること、を特徴とする請求項１記載のデジタル放送受信装置。
【請求項３】
番組情報を受信するステップと、蓄積可能条件を決定するステップと、前記受信した番組情報が既に蓄積済みか否かを判定するステップと、蓄積済みでない場合に、前記受信した番組情報が前記蓄積可能条件に合致するか否かを判定するステップと、前記蓄積可能条件に合致した場合に、前記受信した番組情報を蓄積するステップとを具備することを特徴とする番組情報蓄積方法。
【請求項４】
前記蓄積可能条件は、近い将来の番組情報から順に蓄積可能日数範囲に含まれる番組情報であること、を特徴とする請求項３記載の番組情報蓄積方法。
【発明の詳細な説明】
【技術分野】
【０００１】
本発明は、デジタル放送受信装置及び番組情報蓄積方法に関し、更に詳しくは、サービス数の多い放送の番組情報の蓄積にあたって、不揮発性記憶媒体のアクセス頻度を増加させることなく、よりユーザの参照頻度が高いと思われる、近い将来の番組情報から蓄積を行うことが可能なデジタル放送受信装置及び番組情報蓄積方法に関する。
【背景技術】
【０００２】
デジタル放送とは、映像や音声のほかに付加情報などをデジタル信号に乗せて伝送する放送で、現在すでに運用されているＢＳデジタル放送やＣＳデジタル放送、２００３年１２月から開始が予定されている地上デジタル放送の他に、各地のＣＡＴＶ放送局で行われているデジタルＣＡＴＶ放送などが行われている。
【０００３】
デジタル放送における特徴の一つとして、番組に関する付加情報である番組情報の伝送がある。番組情報を利用したサービスとしては、例えば放送予定の番組スケジュールを番組情報として伝送し、それをユーザに提供する「電子番組ガイド（以降、ＥＰＧと称す）」がある。多くのデジタル放送受信装置は、これらの番組情報を一旦受信したあとフラッシュメモリなどの不揮発性記憶媒体に記憶し、電源投入直後を含むいつでもこれらの番組情報をすばやく参照できるようになっている。
【０００４】
しかし放送の内容が全国一律である衛星デジタル放送とは異なり、地上デジタル放送やデジタルＣＡＴＶ放送においては、放送に含まれるサービス数が放送局によりまちまちであり、非常に多くのサービス数を持つ放送を行う放送局も存在する。これに対して受信装置の不揮発性記憶媒体の容量は固定であり、地域やＣＡＴＶ局によってはすべての番組情報を記憶できないこともありえる。このような放送を受信した場合、不揮発性記憶媒体に蓄積できなかった番組情報は、次回電源投入直後の番組表参照時には受信を待って表示されるため、蓄積された番組情報に比べて遅れて表示されることになる。
【０００５】
このような放送に対しては以下のような２つの対策方法が考えられる。第１の方法は、先に受信した番組情報から順に記憶していき、容量がなくなった時点でそれ以降の記憶を行わないとするものである。
【０００６】
第２の方法は、受信した順から記憶するのは第１の方法と同様であるが、記憶容量がなくなった場合、参照頻度が低いと思われるより遠い将来の番組情報を削除して記憶容量を確保して受信した番組情報を記憶するという方法である（例えば、特許文献１参照）。
【特許文献１】特開平１１−２０５７０７号公報
【発明の開示】
【発明が解決しようとする課題】
【０００７】
しかしながら、従来の第１の方法では、記憶する情報が完全に送出順に依存するため、ユーザによる参照頻度が高いと思われるより近い将来の番組情報を記憶できない可能性があった。
【０００８】
また、従来の第２の方法では、最終的には近い将来の情報から記憶できる分だけ記憶できるという利点がある一方、新しい番組情報を受信するたびに、古い番組情報を削除し受信した番組情報を書き込むという記憶媒体へのアクセスが発生し、記憶媒体の寿命を縮めるという問題があった。
【０００９】
本発明は、上記事情に鑑みて成されたもので、放送に含まれるサービス数が多く、全ての番組情報を受信装置に搭載した不揮発性記憶媒体に蓄積することが不可能であるような時に、不揮発性記憶媒体への過剰なアクセスを行うことなく、近い将来の番組情報から優先して蓄積することが可能なデジタル放送受信装置及び番組情報蓄積方法を提供することを目的とする。
【課題を解決するための手段】
【００１０】
本発明では、放送に含まれる番組情報を伝送しているサービス数と各サービスのメディアタイプより、この放送に含まれる全番組情報の総量の概数を計算し、この値と番組情報蓄積に用いることのできる不揮発性記憶媒体の領域の大きさから、本日から何日未来までの番組情報を蓄積できるかという蓄積可能な範囲を求め、得られた範囲に含まれる番組情報を受信したときにのみ不揮発性記憶媒体に蓄積し、範囲に含まれない番組情報を受信したときには蓄積を行わないようにする。
【発明の効果】
【００１１】
従って本発明により、不揮発性記憶媒体の容量が不足している場合にも記憶媒体への過剰なアクセスを行うことなく近い将来の番組に関する番組情報から蓄積することが可能となり、結果として電源投入直後に番組表の参照を行っても、ユーザによる参照頻度が高いと思われる近い将来の番組に関する番組情報を、不揮発性記憶媒体から読み出すことで受信を待たずにすばやく表示することができる。
【発明を実施するための最良の形態】
【００１２】
（実施の形態１）
図１は、本発明の実施の形態１に係るデジタル放送受信装置の構成を示すブロック図である。デジタル放送受信装置は、デジタル放送を受信する受信部１０１、受信した信号を復号して映像信号と番組情報に分離する信号復号部１０２、番組情報を蓄積する不揮発性記憶媒体１０３、不揮発性記憶媒体１０３への蓄積を制御する蓄積制御部１０４、番組情報を利用してＥＰＧを生成するＥＰＧ生成部１０５、信号復号部１０２で分離された映像信号とＥＰＧをはじめとするＯＳＤを合成して出力する画面出力部１０６、ユーザ入力を受け付けるユーザ入力部１０７から構成される。
【００１３】
次に、蓄積制御部１０４における蓄積条件の計算方法を説明する。不揮発性記憶媒体１０３の中で番組情報の蓄積に使える容量の大きさをＭ、放送に含まれるサービスで番組情報の伝送を行っているものの中でメディアタイプがＴＶであるものの個数をＳｔ、ラジオであるものの個数をＳｒ、データであるものの個数をＳｄとする。
【００１４】
このときの各々のメディアタイプ別の番組情報量のイメージを図２にしめす。衛星デジタル放送の運用基準であり、デジタルＣＡＴＶ放送の規格の元となっているＡＲＩＢ−ＴＲ−Ｂ１５によると、各メディアタイプにおける番組情報の標準伝送範囲はＴＶの場合８日分、ラジオの場合３日分、データの場合２日分である。したがって、番組情報が伝送されている延べサービス×日数は、Ｓｔ×８＋Ｓｒ×３＋Ｓｄ×２（サービス×日）となる。
【００１５】
ここで、１サービスあたり１日の番組情報のデータ量をｍとすると、以下の計算より、蓄積可能な日数が計算できる。計算後の蓄積可能日数範囲の概念図を図３に示す。
【００１６】
パターン（１）：Ｍ≧（Ｓｔ×８＋Ｓｒ×３＋Ｓｄ×２）×ｍの場合
日数＝８
パターン（２）：パターン（１）に該当せず、Ｍ＜（Ｓｔ＋Ｓｒ＋Ｓｄ）×２×ｍの場合
日数＝Ｍ÷（（Ｓｔ＋Ｓｒ＋Ｓｄ）×ｍ）
パターン（３）：パターン（１）、パターン（２）に該当せず、Ｍ＜（（Ｓｔ＋Ｓｒ）×３＋Ｓｄ×２）×ｍの場合
日数＝２
パターン（４）：パターン（１）乃至パターン（３）に該当せず、Ｍ＜（Ｓｔ×８＋Ｓｒ×３＋Ｓｄ×２）×ｍの場合
日数＝（Ｍ−（（Ｓｔ＋Ｓｒ）×３＋Ｓｄ×２）×ｍ）÷（Ｓｔ×ｍ）＋３
上記構成に従い、発明の実施の形態の番組情報蓄積処理を図４のフローチャートを用いて説明する。初期状態ではデジタル放送受信装置は受信待ち状態である（Ｓ４０１）。番組情報を受信すると（Ｓ４０２）、蓄積制御部１０４は受信した番組情報が既に蓄積済みであるかどうかを判定し（Ｓ４０３）、蓄積済みであれば（Ｓ４０３でＹ）、受信した番組情報を破棄する。蓄積済みでなければ（Ｓ４０３でＮ）、次に受信した番組情報が上式で計算した蓄積可能日数に入るかどうかを判断する（Ｓ４０４）。蓄積可能日数に入っていなければ（Ｓ４０４でＮ）、受信した番組情報は破棄する。蓄積可能日数内の番組情報であれば（Ｓ４０４でＹ）、この番組情報を不揮発性記憶媒体１０３に蓄積し（Ｓ４０５）、再び次の番組情報の受信待ち状態となる（Ｓ４０１）。
【産業上の利用可能性】
【００１７】
本発明のデジタル放送受信装置及び番組情報蓄積方法は、全ての番組情報を蓄積するのに不十分な不揮発性記憶媒体しか存在しないデジタル放送受信装置でも、ユーザによる参照頻度が高いと思われる近い将来の番組情報から順に蓄積でき、結果として最もユーザにとって利便性の高い蓄積を行うことができるため、地上デジタル放送やデジタルＣＡＴＶ放送のように地域やＣＡＴＶ局によってサービス数が異なるような放送に、一定の不揮発性メモリを搭載した機種で対応するのに有用である。
【図面の簡単な説明】
【００１８】
【図１】本発明の実施の形態１によるデジタル放送受信装置の構成を示すブロック図
【図２】同実施の形態によるメディアタイプ別の番組情報量を示す概念図
【図３】同実施の形態による蓄積可能日数範囲を示す概念図
【図４】同実施の形態による番組情報蓄積処理を示すフローチャート
【符号の説明】
【００１９】
１０１    受信部
１０２    信号復号部
１０３    不揮発性記憶媒体
１０４    蓄積制御部
１０５    ＥＰＧ生成部
１０６    画面出力部
１０７    ユーザ入力部
【図１】
2005192061.tif 000003
【図２】
2005192061.tif 000004
【図３】
2005192061.tif 000005
【図４】
2005192061.tif 000006